(57)【特許請求の範囲】
【請求項１】
棒状体と、棒状体接合部で該棒状体と接合した断面略円形の繰出体と、前記棒状体と接合した前記繰出体の一部を収納する略円筒状の容器本体を備え、前記繰出体あるいは前記容器本体の回動操作により、前記容器本体の先端開口孔より棒状体を進退動させる棒状体繰出容器において、
前記繰出体側に雌ネジを形成し、前記容器本体側に雄ネジを形成し、前記容器本体をその後端側から繰出体で覆いかつ前記雌ネジを前記雄ネジに螺合させた構造とし、雌ネジ側のネジ入口付近に雄ネジが通過することができない突起形状を設けると共に、雄ネジが通過できない突起の形状として、ネジから離れた部分に１周のアンダーカットを設けた形状としたことを特徴とする棒状体繰出容器。
【請求項２】
棒状体と、棒状体接合部で該棒状体と接合した断面略円形の繰出体と、前記棒状体と接合した前記繰出体の一部を収納する略円筒状の容器本体を備え、前記繰出体あるいは前記容器本体の回動操作により、前記容器本体の先端開口孔より棒状体を進退動させる棒状体繰出容器において、
前記繰出体側に雌ネジを形成し、前記容器本体側に雄ネジを形成し、前記容器本体をその後端側から繰出体で覆いかつ前記雌ネジを前記雄ネジに螺合させた構造とすると共に、繰出体に、後方に行くほど内径が徐々に小さくなる雌ネジを形成したことを特徴とする棒状体繰出容器。
【請求項３】
棒状体と、棒状体接合部で該棒状体と接合した断面略円形の繰出体と、前記棒状体と接合した前記繰出体の一部を収納する略円筒状の容器本体を備え、前記繰出体あるいは前記容器本体の回動操作により、前記容器本体の先端開口孔より棒状体を進退動させる棒状体繰出容器において、
前記繰出体側に雌ネジを形成し、前記容器本体側に雄ネジを形成し、前記容器本体をその後端側から繰出体で覆いかつ前記雌ネジを前記雄ネジに螺合させた構造とすると共に、雄ネジの形成部に弾性変形可能にする構造を設け、当該構造によって雄ネジが雌ネジを常に押しつけている状態に組み合わせた形状を有することを特徴とする棒状体繰出容器。
【請求項４】
棒状体と、棒状体接合部で該棒状体と接合した断面略円形の繰出体と、前記棒状体と接合した前記繰出体の一部を収納する略円筒状の容器本体を備え、前記繰出体あるいは前記容器本体の回動操作により、前記容器本体の先端開口孔より棒状体を進退動させる棒状体繰出容器において、
前記繰出体側に雌ネジを形成し、前記容器本体側に雄ネジを形成し、前記容器本体をその後端側から繰出体で覆いかつ前記雌ネジを前記雄ネジに螺合させた構造とすると共に、繰出体が容器本体から抜けるのを規制する構造として、繰出体の棒状体接合部の外周面部に第１の係止凸部を、容器本体の内周面部に第２の係止凸部をそれぞれ設けて、繰出体が後方に所定位置に移動したときに前記第１の係止凸部および第２の係止凸部同士が当接してそれ以上繰出体が後方に移動するのを規制する構成としたことを特徴とする棒状体繰出容器。
【発明の詳細な説明】
【技術分野】
【０００１】
本発明は、棒状体筆記具や棒状化粧具等の棒状の固定物を繰り出す棒状体繰出容器に関する。
【背景技術】
【０００２】
従来、棒状体の固形物の繰出容器には、先軸、後軸、棒状体を保持する機能を備えたネジ棒、および、先軸と後軸の回転に抵抗を加えるＯリング等の部材からなるという構造の複雑なものがある一方、軸本体と操作部という２部品からなる繰出容器が種々に提案されている（実開昭５７−１１６４８５号公報：特許文献１、登録実用新案第１７９６８号公報：特許文献２、実開平２−１５０２４号公報：特許文献３、特開２００８−１４２４６４号公報：特許文献４）。
【０００３】
いずれの特許文献１〜４記載の繰出容器も、操作部の雄ネジを軸本体の雌ネジ内にネジ込んで、回転操作力を繰出力に変換して棒状体を繰出している。
【先行技術文献】
【特許文献】
【０００４】
【特許文献１】実開昭５７−１１６４８５号公報
【特許文献２】登録実用新案第１７９６８号公報
【特許文献３】実開平２−１５０２４号公報、
【特許文献４】特開２００８−１４２４６５号公報
【発明の概要】
【発明が解決しようとする課題】
【０００５】
しかしながら、前記従来の繰出容器では、繰出部の外周に雄ネジ部が形成されていて、軸筒の雌ネジに潜り込んで棒状体を繰り出す構造であるので、軸筒の後部から、繰出体との隙間から筒内に埃などが入りやすく、また、棒状体が粉体や粒状体を固めたものである場合、上記隙間から棒状体の屑がこぼれて、手指を汚す虞があった。
【０００６】
また、ネジの抜け留めするための係止片の構成も記載されており、例えば上記特許文献３では、弾性係合片でネジの抜け止めをしているが、部品が３部品であることと、弾性係合片が常にネジと接触しているため摩擦によりネジが摩耗するので長期の仕様ではスムーズに回らなくなることが考えられるものである。２部品でネジ部のガタツキによる操作不良を防止する点が要請されていた。
【０００７】
本発明は、斯かる実情に鑑み、構成部品を少なくして、かつ機構部の外部露出を少なくして埃侵入を防止し、繰出の安定的作動を確保できる棒状体繰出容器を提供しようとするものである。
【課題を解決するための手段】
【０００８】
本発明は棒状体繰出容器にかかるものである。
【０００９】
本発明は、棒状体と、棒状体接合部で該棒状体と接合した断面略円形の繰出体と、前記棒状態と接合した前記繰出体の一部を収納する略円筒状の容器本体を備え、前記繰出体あるいは前記容器本体の回動操作により、前記容器本体の先端開口孔より棒状体を進退動させる棒状体繰出容器において、
前記繰出体側に雌ネジを形成し、前記容器本体側に雄ネジを形成し、前記容器本体をその後端側から繰出体で覆いかつ前記雌ネジを前記雄ネジに螺合させた構造とし、雌ネジ側のネジ入口付近に雄ネジが通過することができない突起形状を設けると共に、雄ネジが通過できない突起の形状として、ネジから離れた部分に１周のアンダーカットを設けた形状としたことを特徴とする棒状体繰出容器である。
【００１３】
また、本発明は、棒状体と、棒状体接合部で該棒状体と接合した断面略円形の繰出体と、前記棒状体と接合した前記繰出体の一部を収納する略円筒状の容器本体を備え、前記繰出体あるいは前記容器本体の回動操作により、前記容器本体の先端開口孔より棒状体を進退動させる棒状体繰出容器において、
前記繰出体側に雌ネジを形成し、前記容器本体側に雄ネジを形成し、前記容器本体をその後端側から繰出体で覆いかつ前記雌ネジを前記雄ネジに螺合させた構造とすると共に、繰出体に、後方に行くほど内径が徐々に小さくなる雌ネジを形成したことを特徴とする棒状体繰出容器である。
【００１４】
また、本発明は、棒状体と、棒状体接合部で該棒状体と接合した断面略円形の繰出体と、前記棒状体と接合した前記繰出体の一部を収納する略円筒状の容器本体を備え、前記繰出体あるいは前記容器本体の回動操作により、前記容器本体の先端開口孔より棒状体を進退動させる棒状体繰出容器において、
前記繰出体側に雌ネジを形成し、前記容器本体側に雄ネジを形成し、前記容器本体をその後端側から繰出体で覆いかつ前記雌ネジを前記雄ネジに螺合させた構造とすると共に、雄ネジの形成部に弾性変形可能にする構造を設け、当該構造によって雄ネジが雌ネジを常に押しつけている状態に組み合わせた形状を有することを特徴とする棒状体繰出容器である。
【００１５】
また、本発明は、棒状体と、棒状体接合部で該棒状体と接合した断面略円形の繰出体と、前記棒状体と接合した前記繰出体の一部を収納する略円筒状の容器本体を備え、前記繰出体あるいは前記容器本体の回動操作により、前記容器本体の先端開口孔より棒状体を進退動させる棒状体繰出容器において、
前記繰出体側に雌ネジを形成し、前記容器本体側に雄ネジを形成し、前記容器本体をその後端側から繰出体で覆いかつ前記雌ネジを前記雄ネジに螺合させた構造とすると共に、繰出体が容器本体から抜けるのを規制する構造として、繰出体の棒状体接合部の外周面部に第１の係止凸部を、容器本体の内周面部に第２の係止凸部をそれぞれ設けて、繰出体が後方に所定位置に移動したときに前記第１の係止凸部および第２の係止凸部同士が当接してそれ以上繰出体が容器本端に対して後方に移動するのを規制する構成としたことを特徴とする棒状体繰出容器である。
【発明の効果】
【００１６】
本発明の棒状体繰出容器によれば、棒状体繰出容器において、前記繰出体側に雌ネジを形成し、前記容器本体側に雄ネジを形成し、前記容器本体をその後端側から繰出体で覆いかつ前記雌ネジを前記雄ネジに螺合させた構造としたので、容器本体を繰出体で覆っていることから、容器本体の後部から、繰出体との隙間から筒内に埃などが入ることを確実に防止できる。また、棒状体が粉体や粒状体を固めたものである場合でも、上記隙間から棒状体の屑がこぼれて、手指が汚れることがない。また、容器本体内に埃などが入りにくい構造であるので、長期間放置しても繰出し機能が不具合になることを確実に防止できる。また、容器本体と繰出体との２部品構成にできるため、部品点数が少なく簡単な構成であり、製造工程が少なく経済的である。
【００１７】
なお、本発明において、雌ネジ側のネジ入口付近に雄ネジが通過することができない突起を設けたことにより、簡単な構造で繰出体が容器本体から脱落するのを抜け止めができる。
【００１８】
また、雄ネジが通過できない突起の形状として、雌ネジの谷部分の一部を埋めた形状を有するものにすれば、成形金型を大きく変更することなく、金型を簡易に設計変更することによって上記突起を形成できる。
【００１９】
また、雄ネジが通過できない突起の形状として、ネジから離れた部分に１周のアンダーカットを設けた形状を有するものにすれば、ネジに突起を設け場合よりも設計の自由度が増し、形成が容易化をはかることができる。
【００２０】
また、繰出体に、後方にいくほど内径が徐々に小さくなる雌ネジを形成して、容器本体の雄ネジと組み合わせることにより、後方の雌ネジが雄ネジを押しつける構造により前方の雌ネジがクリープしてもネジ間の隙間を減らすことができ、ネジ間のガタによる意図しない繰出し不良を防ぐことができる。
【００２１】
また、雄ネジの形成部に弾性変形可能にする構造を設け、当該構造によって雄ネジが雌ネジを常に押しつけている状態に組み合わせた形状を有することにより、雄ネジが雌ネジに確実に噛み合い、棒状体使用時にしっかり保持した状態で使用でき、また、繰出操作時に操作をガタツキ無く安定した操作感を得ることができる。
【００２２】
本発明において、繰出体が容器本体から抜けるのを規制する構造として、繰出体の棒状体接合部の外周面部に第１の係止凸部を、容器本体の内周面部に第２の係止凸部をそれぞれ設けて、繰出体が後方に所定位置に移動したときに前記第１の係止凸部および第２の係止凸部同士が当接してそれ以上繰出体が後方に移動するのを規制する構成としたことにより、確実に抜け止めでき、それと共に、第１の係止凸部と第２の係止凸部との形成位置をネジの形成位置から離すことができ、設計の自由度が増し、形成の容易化を図ることができる。
【００２３】
また、棒状体と、前記棒状体と接合した断面略円形の繰出体と、前記棒状体と接合した前記繰出体の一部を収納する略円筒状の容器本体を備え、前記繰出体あるいは前記容器本体の回動操作により、先端開口孔より棒状体を進退させる棒状体繰出容器において、繰出体側に雄ネジを形成し、容器本体側に雌ネジを設けることができる。
【図面の簡単な説明】
【００２４】
【図１】本発明の実施形態に係る棒状体繰出容器の全体説明図であって、（ａ）は前方側から見た全体斜視図、（ｂ）は後方側から見た全体斜視図、（ｃ）は全体縦断面図、（ｄ）は側面から見た全体図、（ｅ）は前方から見た図、（ｆ）は後方から見た図である。
【図２】前記棒状体繰出容器の繰出体の説明図であって、（ａ）は縦断面図、（ｂ）は（ａ）の状態のときの側面図、（ｃ）は（ｂ）の状態から周方向に回転させて位置を変えたときの側面図、（ｄ）は（ｃ）の状態のときの縦断面図、（ｅ）は前方からの斜視図、（ｆ）後方側からの斜視図、（ｇ）は前方から見た図、（ｈ）は後方から見た図、（ｉ）と把持部周辺の拡大斜視図である。
【図３】前記棒状体繰出容器の容器本体の説明図であって、（ａ）〜（ｃ）はそれぞれ周方向に回転させて位置を変えた側面図、（ｄ）は縦断面図、（ｅ）は前方から見た図、（ｆ）後方から見た図、（ｇ）は斜視図、（ｈ）は（ｇ）と周方向に回転させて位置を変えた斜視図である。
【図４】前記棒状体繰出容器の容器本体に設ける雄ネジの周辺の拡大図である。
【図５】前記棒状体繰出容器の繰出体の抜け止め構造の説明図である。
【図６】前記棒状体繰出容器の繰出体の抜け止め構造の変形例１の説明図である。
【図７】前記棒状体繰出容器の繰出体の抜け止め構造の変形例２の説明図である。
【図８】前記棒状体繰出容器の容器本体に設ける雄ネジの変形例１の拡大図である。
【図９】前記棒状体繰出容器の容器本体に設ける雄ネジの変形例２の拡大図である。
【発明を実施するための形態】
【００２５】
以下、本発明の実施形態について添付図面を参照して説明する。
【００２６】
図１〜図４は本発明の実施形態に係る棒状体繰出容器の説明図を示す。図５〜図７は繰出体の抜け止め構造およびその変形例１〜２の説明図、図８は容器本体の雄ネジの変形例の説明図、図９は当該雄ネジの変形例２の説明図である。図中、同一の符号を付した部分は同一物を表わす。
【００２７】
図１〜図４に示すように、実施形態に係る棒状体繰出容器は、棒状体１０と、該棒状体１０に棒状体ホルダー（棒状体接合部）１２ｂで接合した断面略円形の繰出体１２と、前記棒状体１０と接合した前記繰出体１２の一部（棒状体接合部１２ｂを含む）を収納する略円筒状の容器本体１４を備え、前記繰出体１２あるいは前記容器本体１４の回動操作により、前記容器本体１４の先端開口孔１４ａ１より棒状体１０を進退動させるものである。
【００２８】
前記繰出体１２側に雌ネジ１６を形成し、前記容器本体１４側に雄ネジ１８を形成し、前記容器本体１４をその後端側から繰出体１２で覆いかつ前記雌ネジ１６を前記雄ネジ１８に螺合させた構造としたものである。
【００２９】
詳しくは、前記棒状体１０は、図１に示すように、棒状化粧品、筆記具芯等が円柱状に形成された固形物である。
【００３０】
図２は、前記繰出体１２の説明図である。
【００３１】
前記繰出体１２は、図１〜図２に示すように、後端の塞がった筒状の摘み部１２ａと、その摘み部１２ａ内の後端部から前方に向かって前記摘み部１２ａ前端より前方に向けて延在した柱状の棒状体ホルダー部（棒状体接合部）１２ｂとを有している。
【００３２】
前記摘み部１２ａの内周面には、尾根状に内向き突出した凸部が螺旋状に形成された雌ネジ１６を有している。また、棒状体ホルダー部１２ｂは、後部よりも前部が段状に細径に形成されている。その細径の前部の先端部がコップ状の把持部１２ｂ１になり、その把持部１２ｂ１に前記棒状体１０を差し込んで保持している。把持部１２ｂ１内には、棒状体１０を緊密に把持して抜け止めるための三角山形状（矩形山形状等にもできる）の突起部１２ｂ２が形成されている。
【００３３】
また、把持部１２ｂ１は、前端から切り込み１２ｂ３を形成した先割れ形状になっており、棒状体１０を差込んだときに前記棒状体ホルダー部１２ｂが弾性変形してその弾性力によって棒状体１０を緊密に挟持できるようにしている。
【００３４】
図３は、前記容器本体１４の説明図である。図４は、前記棒状体繰出容器の容器本体１４に設ける雄ネジ１８の拡大図である。
【００３５】
容器本体１４は、図３に示すように、外周部が先方に向けてゆるやかに細くなっており内周部は前後に貫通した孔１４ａが形成されていて、その孔１４ａ内に棒状体１０が進退動し、先端開口孔１４ａ１に出没するようになっている。その容器本体１４の後端部外周には複数箇所（実施形態で２箇所）尾根状の凸部が全周の半分程度形成されていてそれらの凸部が雄ネジ１８の機能を有している（図４参照）。なお、雄ネジ１８は尾根状の凸部形状を全周に形成してもまた、３以上の複数を形成してもよい。繰出体１２や容器本体１４の材質は、射出成形で適切なＡＢＳ樹脂，ポリエチレン樹脂、ポリスチレン樹脂、ポリプロピレン樹脂、アクリル樹脂、ポリカーボネート樹脂、ポリアセタール樹脂、ポリエチレンテレフタレート樹脂、ポリブチレンテレフタレート樹脂、ポリアミド樹脂、アクリロニトリルスチレン樹脂、変性ポリフェニレンエーテル樹脂、エラストマー樹脂、等種々のものを用いることができる。
【００３６】
図５は、前記棒状体繰出容器の繰出体１２の抜け止め構造の説明図である。
【００３７】
前記繰出体１２においては、雌ネジ１６側のネジ入口付近に雄ネジ１８が通過することができない突起２０を設けている。具体的に、雄ネジ１８が通過できない突起２０の形状として、図５に示すように、雌ネジ１６の谷部分のネジ前端（一部の例)を埋めた形状２０Ａを有する。当該埋めた形状２０Ａは、尾根状に形成しているが、種々の形状をとることができる。
【００３８】
このように、雌ネジ１６側のネジ入口付近に雄ネジ１８が通過することができない突起２０を設けたことにより、簡単な構造で繰出体１２が容器本体１４から脱落するのを抜け止めができる。また、雄ネジ１８が通過できない突起２０の形状として、雌ネジ１６の谷部分の一部を埋めた形状を有するものにすれば、成形金型を大きく変更することなく、金型の簡易な設計変更によって上記突起２０を形成できる。
【００３９】
図６は、前記棒状体繰出容器の繰出体１２の抜け止め構造の変形例１の説明図である。
【００４０】
また、図６に示す変形例１のように、前記雄ネジ１８が通過できない突起２０の形状として、ネジから離れた部分で、例えば、繰出体１２の前端縁の近傍内側に１周（連続または非連続）の凸部が山脈状に形成された突起２０Ｂ（アンダーカットを設けた形状）を有することができる。
【００４１】
また、雄ネジ１８が通過できない突起２０の形状として、上記のようにアンダーカットを設けた形状の突起２０Ｂを有するものにすれば、ネジに突起を設けた場合よりも設計の自由度が増し、形成が容易化をはかることができる。
【００４２】
なお、繰出体１２に、後方に行くほど内径が徐々に小さくなる雌ネジ１６を形成することが好適である。また、繰出体１２の雌ネジ１６の入り口端のみでも、テーパー状にほぼ全体的にも内径を細くして雄ネジ１８の通過できない形状を構成できる。
【００４３】
上記のように繰出体１２に、後方に行くほど内径が徐々に小さくなる雌ネジ１６を形成して、容器本体１４の雄ネジ１８と組み合わせることにより、後方の雌ネジが雄ネジを押しつける構造により前方の雌ネジがクリープしてもネジ間の隙間を減らすことができ、ネジ間のガタによる意図しない繰出し不良を防ぐことができる。
【００４４】
図７は、前記棒状体繰出容器の繰出体１２の抜け止め構造の変形例２の説明図である。図１〜図４と同様部分に同一の符号を付している。
【００４５】
図７に示すように、繰出体１２が容器本体１４から抜けるのを規制する構造の変形例２として、繰出体１２の棒状体接合部の外周面部に連続凸部形状の第１の係止凸部２２を、容器本体１４の内周面部に連続凸部形状の第２の係止凸部２４をそれぞれ設けて、繰出体１２が後方に所定位置に移動したときに前記第１の係止凸部２２および第２の係止凸部２４同士が当接してそれ以上繰出体１２が後方に移動するのを規制する構成とすることができる。
【００４６】
このように、繰出体１２が容器本体１４から抜けるのを規制する構造として、変形例２によれば、確実に抜け止めでき、それと共に、第１の係止凸部２２と第２の係止凸部２４との形成位置がネジを設ける位置から離すことができ、設計の自由度が増し、形成の容易化を図ることができる。
【００４７】
図８は、前記棒状体繰出容器の容器本体１４に設ける雄ネジ１８の変形例１の拡大図である。
【００４８】
容器本体１４側の雄ネジ１８の形成部分において、雄ネジ１８の機能を有する凸部の形状は、上記のように尾根状に限定されず、横断面円形状の凸部に形成できる。構造が簡単であるので製作が容易である。
【００４９】
図９は、前記棒状体繰出容器の容器本体１４に設ける雄ネジ１８の変形例２の拡大図である。
【００５０】
図９に示すように、変形例２では、容器本体１４において凸部の雄ネジ１８の形成部は容器本体１４の後端部から前方に向けて平行の切り込みを設けて、弁状またはカンチレバー状に弾性変形可能にする弾性構造２６を設け、当該弾性構造２６によって雄ネジ１８が雌ネジ１６を常に押しつけている状態に組み合わせた形状を有する。
【００５１】
上記のように雄ネジ１８の形成部に弾性変形可能にする構造を設け、当該構造によって雄ネジ１８が雌ネジ１６を常に押しつけている状態に組み合わせた形状を有することにより、雄ネジ１８が雌ネジ１６に確実に噛み合い、棒状体１０使用時にしっかり保持した状態で使用でき、また、繰出操作時に操作をガタツキ無く安定した操作感を得ることができる。
【００５２】
なお、本発明において、繰出体１２側に雄ネジ１８を形成し、容器本体１４側に雌ネジ１６を設けて、雌ネジ１６に雄ネジ１８が通過することのできない突起２０を設けることとしてもよい。
【００５３】
以上説明したとおり、実施形態の棒状体繰出容器によれば、棒状体繰出容器において、前記繰出体１２側に雌ネジ１６を形成し、前記容器本体１４側に雄ネジ１８を形成し、前記容器本体１４をその後端側から繰出体１２で覆いかつ前記雌ネジ１６を前記雄ネジ１８に螺合させた構造としたので、容器本体１４を繰出体１２で覆っていることから、容器本体１４の後部から、繰出体１２との隙間から筒内に埃などが入ることを確実に防止でき、棒状体１０が粉体や粒状体を固めたものである場合、上記隙間から棒状体１０の屑がこぼれて、手指が汚れることがない。
【００５４】
また、容器本体１４内に埃などが入りにくい構造であるので、長期間放置しても繰出し機能が不具合になることを確実に防止できる。また、容器本体１４と繰出体１２との２部品構成にできるため、部品点数が少なく簡単な構成であり、製造工程が少なく経済的である。
【産業上の利用可能性】
【００５５】
本発明の棒状体繰出容器は、構成部品を少なくして、かつ機構部の外部露出を少なくして埃侵入を防止し繰出の安定的作動を確保できる棒状体繰出容器に利用することができる。
【符号の説明】
【００５６】
１０  棒状体
１２  繰出体
１２ａ  摘み部
１２ｂ  棒状体ホルダー部
１２ｂ１  把持部
１２ｂ２  突起部
１４  容器本体
１４ａ  孔
１４ａ１  先端開口孔
１６  雌ネジ
１８  雄ネジ
２０  突起
２０Ａ  埋めた形状の突起
２０Ｂ  アンダーカット形状の突起
２２  第１の係止凸部
２４  第２の係止凸部
２６  弾性構造
【図１】
0005627285.tif 000002
【図２】
0005627285.tif 000003
【図３】
0005627285.tif 000004
【図４】
0005627285.tif 000005
【図５】
0005627285.tif 000006
【図６】
0005627285.tif 000007
【図７】
0005627285.tif 000008
【図８】
0005627285.tif 000009
【図９】
0005627285.tif 000010